(57)【要約】【課題】安全性及び作業性を向上させることを可能にする天井構造を提供すること。【解決手段】建築物の天井構造１００であって、防音性の天井部材１と、天井部材１を支持する上弦部材２及び鋼材３と、を備え、天井部材１は、ＡＬＣ（軽量気泡コンクリート）製であり、且つ、天井構造１００側で作業を行うための作業床であり、上弦部材２及び鋼材３は、建築物の一方側から他方側にわたって設けられている上弦部材２と、上弦部材２に固定されており、且つ、上弦部材２と直交する方向にわたって設けられている鋼材３と、を備え、天井部材１は、鋼材３に載置されている。鋼材３は、上弦部材２の下側に固定されており、天井部材１は、上弦部材２と隣接しており、天井構造１００は、天井部材１と上弦部材２との相互間の間隙２１１を埋める詰材４、を備え、詰材４は、防音性又は止水性を有する。【選択図】図４
2020084527.tif 000002
【特許請求の範囲】
【請求項１】
建築物の天井構造であって、
防音性の天井部材と、
前記天井部材を支持する支持部材と、を備え、
前記天井部材は、ＡＬＣ（軽量気泡コンクリート）製であり、且つ、前記天井構造側で作業を行うための作業床である、
天井構造。
【請求項２】
前記支持部材は、
前記建築物の一方側から他方側にわたって設けられている第１支持部材と、
前記第１支持部材に固定されており、且つ、前記第１支持部材と直交する方向にわたって設けられている第２支持部材と、を備え、
前記天井部材は、前記第２支持部材に載置されている、
請求項１に記載の天井構造。
【請求項３】
前記第２支持部材は、前記第１支持部材の下側に固定されており、
前記天井部材は、前記第１支持部材と隣接しており、
前記天井構造は、
前記天井部材と前記第１支持部材との相互間の間隙を埋める詰材、を備える、
請求項２に記載の天井構造。
【請求項４】
前記詰材は、防音性又は止水性を有する、
請求項３に記載の天井構造。
【発明の詳細な説明】
【技術分野】
【０００１】
本発明は、天井構造に関する。
【背景技術】
【０００２】
従来、防音特性を有する建築物を建築する場合、屋根を施工した後に、防音特性を有する天井を施工していた。特に、防音特性を有する天井を構成する構造として、特許文献１のようにＡＬＣ版を用いるＡＬＣ天井構造や、吸音材、空気層、及び遮音材を用いる防音天井構造が知られていた。
【先行技術文献】
【特許文献】
【０００３】
【特許文献１】特開２０１１−２０８４１８号公報
【発明の概要】
【発明が解決しようとする課題】
【０００４】
ところで、天井の施工の前後において屋根を施工する場合に、一般的には足場を別途架設して当該架設した足場に載って作業を行う必要があったので、天井周りの作業の安全性及び作業性向上等の観点において改善の余地があった。
【０００５】
また、従来の防音天井構造においては、吸音材、空気層、及び遮音材を順次施工する必要があり、当該天井構造自体の施工が手間となっていた。
【０００６】
本発明は上記事実に鑑みなされたもので、安全性及び作業性を向上させることを可能にする天井構造を提供する事を目的とする。
【課題を解決するための手段】
【０００７】
上述した課題を解決し、目的を達成するために、請求項１に記載の天井構造は、建築物の天井構造であって、防音性の天井部材と、前記天井部材を支持する支持部材と、を備え、前記天井部材は、ＡＬＣ（軽量気泡コンクリート）製であり、且つ、前記天井構造側で作業を行うための作業床である。
【０００８】
請求項２に記載の天井構造は、請求項１に記載の天井構造において、前記支持部材は、前記建築物の一方側から他方側にわたって設けられている第１支持部材と、前記第１支持部材に固定されており、且つ、前記第１支持部材と直交する方向にわたって設けられている第２支持部材と、を備え、前記天井部材は、前記第２支持部材に載置されている。
【０００９】
請求項３に記載の天井構造は、請求項２に記載の天井構造において、前記第２支持部材は、前記第１支持部材の下側に固定されており、前記天井部材は、前記第１支持部材と隣接しており、前記天井構造は、前記天井部材と前記第１支持部材との相互間の間隙を埋める詰材、を備える。
【００１０】
請求項４に記載の天井構造は、請求項３に記載の天井構造において、前記詰材は、防音性又は止水性を有する。
【発明の効果】
【００１１】
請求項１に記載の天井構造によれば、天井部材は、ＡＬＣ（軽量気泡コンクリート）製であり、且つ、天井構造側で作業を行うための作業床であることにより、例えば、天井部材がＡＬＣ製となっており防音性を有しているので、吸音材、空気層、及び遮音材等を別途設ける作業を省略して作業工程を減らすることができ、天井構造を施工する作業性を向上させることが可能となる。また、例えば、天井部材が作業床として機能するので、天井側で作業を行うために足場を別途架設することが不要となり、作業性を向上させることが可能となる。また、例えば、作業工程を減らすことができるので、作業コストを減らすことが可能となる。また、例えば、作業者が、別途架設する足場ではなく作業床として機能する安定した天井部材に載って作業を行うことができるので、安全性を向上させることが可能となる。また、例えば、天井側での作業中に作業者が工具等を落とした場合であっても、作業床として機能する天井部材で受け止められるので、当該天井部材よりも下側に落下物が落下する危険性を除去することができ、安全性を向上させることが可能となる。
【００１２】
請求項２に記載の天井構造によれば、天井部材が第２支持部材に載置されていることにより、例えば、天井部材が落下することを確実に防止することができるので、安全性を向上させることが可能となる。また、例えば、天井部材を第２支持部材の上側から敷き詰めることにより、天井構造を施工することができるので、作業者が天井部材を下側から支える必要がなくなり、作業性を向上させることが可能となる。
【００１３】
請求項３に記載の天井構造によれば、天井部材と第１支持部材との相互間の間隙を埋める詰材を備えることにより、例えば、天井部材がずれることを防止することが可能となる。
【００１４】
請求項４に記載の天井構造によれば、詰材が防音性又は止水性を有することにより、例えば、天井構造の防音性又は防水性を向上させることが可能となる。
【図面の簡単な説明】
【００１５】
【図１】本実施の形態に係る天井構造を備える建築物の正面図である。
【図２】天井構造を備える建築物の側面図である。
【図３】天井構造の平面図である。
【図４】図３のＡ１−Ａ１断面の断面図である。
【図５】施工中の天井構造の平面図である。
【図６】施工中の天井構造の平面図である。
【発明を実施するための形態】
【００１６】
以下に添付図面を参照して、この発明に係る天井構造の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１７】
〔Ｉ〕実施の形態の基本的概念
まず、実施の形態の基本的概念について説明する。実施の形態は、概略的に、建築物の天井構造に関する。
【００１８】
ここで、「建築物」とは、建築される物体であり、具体的には、少なくとも天井構造を備えるものであり、例えば、いわゆるアリーナ、体育館、オフィスビル、及び家屋等を含む概念である。「天井構造」とは、天井を構成する構造であり、例えば、天井部材、及び支持部材を備え、任意で詰材を備えるものである。
【００１９】
「天井部材」とは、天井を構成する部材であり、具体的には、防音性の部材であり、例えば、ＡＬＣ（Ａｕｔｏｃｌａｖｅｄ  Ｌｉｇｈｔｗｅｉｇｈｔ  ａｅｒａｔｅｄ  Ｃｏｎｃｒｅｔｅ：軽量気泡コンクリート）製であり、且つ、天井構造側で作業を行うための作業床として機能するものである。「天井構造側で作業を行うための作業床」とは、例えば、天井構造自体の作業、あるいは、天井構造の周辺（上部又は下部）の作業を行う場合に作業員が載ったり、あるいは、工具又は器具等を載置したりするために用いられる床等を含む概念である。
【００２０】
「支持部材」とは、天井部材を支持する支持手段であり、具体的な構成は任意であるが、例えば、天井部材を上側から吊り下げる部材、天井部材を任意の方向から支持する部材等を含む概念である。「支持部材」とは、例えば、第１支持部材、及び第２支持部材を含む概念である。「第１支持部材」とは、例えば、建築物の一方側から他方側にわたって設けられている部材である。「第２支持部材」とは、例えば、第１支持部材に固定されており、且つ、第１支持部材と直交する方向にわたって設けられている部材であり、また、天井部材が載置される部材である。「第２支持部材」とは、例えば、第１支持部材の上側又は下側に固定されている部材である。
【００２１】
「詰材」とは、間隙に埋められるものであり、具体的には、第２支持部材が第１支持部材の下側に固定されており、且つ、天井部材が第１支持部材と隣接している場合において、少なくとも、天井部材と第１支持部材との相互間の間隙に埋められる部材である。「詰材」とは、例えば、防音性又は止水性のうちの少なくとも一方、あるいは、両方を有するものであり、一例としては、ゴム製又発泡スポンジ製のものを用いることができる。また、この「詰材」を構成する材料は任意であり、例えば、前述のゴム製又は発泡スポンジ製以外の任意の材料（一例としては、樹脂、あるいは、セメント等）にて構成されたものを用いることができる。なお、この「詰材」としては、例えば、防音性及び止水性の両方を有さずに単に間隙に埋められるものを用いてもよい。
【００２２】
そして、以下に示す実施の形態では、「建築物」がアリーナである場合について説明する。
【００２３】
〔ＩＩ〕実施の形態の具体的内容
次に、実施の形態の具体的内容について説明する。
【００２４】
（構成）
まず、本実施の形態に係る天井構造について説明する。図１は、本実施の形態に係る天井構造を備える建築物の正面図であり、図２は、天井構造を備える建築物の側面図であり、図３は、天井構造の平面図であり、図４は、図３のＡ１−Ａ１断面の断面図である。
【００２５】
図１及び図２においては、説明の便宜上、建築物９００の外部構造は輪郭を破線で図示しており、また、内部の天井構造１００の周辺の部材を実線にて概略のみ図示している。また、図４においては、図３にて図示されていない天井構造１００の上側（＋Ｚ方向）に設けられている屋根材８００も図示されている。
【００２６】
また、以下の説明では、各図に示すＸ―Ｙ―Ｚ方向が互いに直交する方向であり、具体的には、Ｚ方向が鉛直方向であって、Ｘ方向及びＹ方向が鉛直方向に対して直交する水平方向であるものとして、例えば、Ｚ方向を高さ方向と称し、＋Ｚ方向を上側（平面）と称し、−Ｚ方向を下側（底面）と称して説明する。
【００２７】
図１及び図２に示すように、天井構造１００は、例えばスポーツやイベント等が行われる屋根付きの建築物９００の天井の構造であり、例えば、図３及び図４の天井部材１、上弦部材２、鋼材３、及び詰材４を備える。
【００２８】
（構成−天井部材）
図３及び図４の天井部材１は、建築物９００の天井を構成する部材である。この天井部材１の具体的な種類や構成は任意であるが、例えば、ＡＬＣ（軽量気泡コンクリート）製のものであり、また、天井構造１００側で作業を行うための作業床として機能するものであり、また、複数の矩形の平板のパネル体により構成されているものであり、また、鋼材３に載置されているものである。
【００２９】
（構成−上弦部材）
図３及び図４の上弦部材２は、前述の支持手段であり、具体的には、第１支持手段である。この上弦部材２の具体的な種類や構成は任意であるが、例えば、図１に示すように建築物９００の一方側（−Ｙ方向）から他方側（＋Ｙ方向）にわたって設けられている部材であり、また、金属製のものであり、また、図４に示すようにＨ鋼を用いて構成することができるものである。
【００３０】
（構成−鋼材）
図３及び図４の鋼材３は、前述の支持手段であり、具体的には、第２支持手段である。この鋼材３の具体的な種類や構成は任意であるが、例えば、上弦部材２に固定されており、且つ、上弦部材２と直交する方向（Ｘ軸方向）にわたって設けられている部材であり、また、図４に示すように上弦部材２の下側（−Ｚ方向）に設けられている固定部３１を介して、上弦部材２の下側（−Ｚ方向）に固定されているものであり、また、金属製のものであり、また、鋼管を用いて構成することができるものである。
【００３１】
なお、「固定部」３１とは、上弦部材２に対して鋼材３を固定するための固定手段である。この固定部３１の具体的な種類や構成は任意であるが、例えば、上弦部材２の下端部に任意の固定手法（例えば、溶接又はボルト及びナット等を含む任意の固定手法）で固定されているものであり、鋼材３の端部を受けて支持し、当該鋼材３が固定されるように構成されているものである。
【００３２】
（構成−詰材）
図３及び図４の詰材４は、前述の詰材である。この詰材４の具体的な種類や構成は任意であるが、例えば、天井部材１と上弦部材２（具体的には図４フランジ部２１）との間の間隙２１１に隙間なく埋められて詰められるものであり、また、防音性及び止水性を有するものであり、また、ゴム製のものである。
【００３３】
（施工手法）
次に、このようにして構成された天井構造１００の施工手法について説明する。図５及び図６は、施工中の天井構造の平面図である。
【００３４】
まず、図１に示すように設けられている上弦部材２に対して、図５に示すように鋼材３を固定する。具体的には任意であるが、例えば、鋼材３を上弦部材２に対して直交し、且つ、当該上弦部材２の下側（−Ｚ方向）に設けて図４の固定部３１を用いて、任意の固定手法（例えば、ボルト及びナット等を含む任意の固定手法）で固定する。
【００３５】
次に、図６の天井部材１のパネル体を鋼材３に載置して設ける。具体的には任意であるが、例えば、まず、図６に示すように、相互に隣接している２本の鋼材３（図面最上段から１本目及び２本目の鋼材３、及び５本目及び６本目の鋼材３）のセットの間の鋼材３に囲まれる第１領域１１、第２領域１２、及び第３領域１３のうちの、第１領域１１及び第３領域１３に天井部材１のパネル体を設ける。なお、この場合、図６に示すように、上弦部材２の近傍の１個分のパネル体を設ける前に、当該パネル体が設けられていない開口部を介して、前述の鋼材３を固定部３１に対して緊結（例えば、ボルト及びナットを更に強固に締める等）した後に、第１領域１１及び第３領域１３の全体にわたって天井部材１のパネル体を設ける。次に、第２領域１２にも天井部材１のパネル体を設ける。
【００３６】
次に、図３及び図４の詰材４を設ける。具体的には任意であるが、図４の天井部材１と上弦部材２のフランジ部２１との間の間隙２１１に詰材４を隙間なく埋め、また、図３に示すように一部の天井部材１のパネル体相互間の隙間に詰材４を隙間なく埋めることにより、詰材４を設ける。これにて、天井構造１００の施工が終了する。
【００３７】
（天井構造１００側で作業を行うための作業床）
そして、このようにして施工される天井構造１００については、作業床としても機能する。具体的には、例えば、天井構造１００の施工後に当該天井構造１００の上側（＋Ｚ方向）に不図示の水平ブレース、小梁、孫梁、あるいは、図４の屋根材８００を施工することになるが、各部材（水平ブレース、小梁、孫梁、あるいは、図４の屋根材８００）を施工するために、作業員が天井構造１００の天井部材１に載って当該天井部材１を作業床として利用して前述の各部材を施工することが可能となる。
【００３８】
（本実施の形態の効果）
本実施の形態によれば、天井部材１は、ＡＬＣ（軽量気泡コンクリート）製であり、且つ、天井構造１００側で作業を行うための作業床であることにより、例えば、天井部材１がＡＬＣ製となっており防音性を有しているので、吸音材、空気層、及び遮音材等を別途設ける作業を省略して作業工程を減らすることができ、天井構造１００を施工する作業性を向上させることが可能となる。また、例えば、天井部材１が作業床として機能するので、天井側で作業を行うために足場を別途架設することが不要となり、作業性を向上させることが可能となる。また、例えば、作業工程を減らすことができるので、作業コストを減らすことが可能となる。また、例えば、作業者が、別途架設する足場ではなく作業床として機能する安定した天井部材１に載って作業を行うことができるので、安全性を向上させることが可能となる。また、例えば、天井側での作業中に作業者が工具等を落とした場合であっても、作業床として機能する天井部材１で受け止められるので、当該天井部材１よりも下側（−Ｚ方向）に落下物が落下する危険性を除去することができ、安全性を向上させることが可能となる。
【００３９】
また、天井部材１が鋼材３に載置されていることにより、例えば、天井部材１が落下することを確実に防止することができるので、安全性を向上させることが可能となる。また、例えば、天井部材１を鋼材３の上側（＋Ｚ方向）から敷き詰めることにより、天井構造１００を施工することができるので、作業者が天井部材１を下側（−Ｚ方向）から支える必要がなくなり、作業性を向上させることが可能となる。
【００４０】
また、天井部材１と上弦部材２との相互間の間隙２１１を埋める詰材４を備えることにより、例えば、天井部材１がずれることを防止することが可能となる。
【００４１】
また、詰材４が防音性又は止水性を有することにより、例えば、天井構造１００の防音性又は防水性を向上させることが可能となる。
【００４２】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００４４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。
【００４５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００４６】
（天井部材について）
また、上記実施の形態では、図６に示すように、天井部材１の一部のパネル体を配置した後に、開口部を介して鋼材３を固定部３１に対して緊結し、この後に当該パネル体を全て配置する場合を例示したが、これに限らず、鋼材３を最初から強固に固定しておき、天井部材１のパネル体を一方の上弦部材２側から他方の上弦部材２側に向かって順次配置してもよい。
【００４７】
また、天井部材１のパネル体の形状を任意に変更してもよく、例えば、当該パネル体を三角形、五角形、あるいは、円形等にしてもよい。
【００４８】
また、天井部材１のパネル体として、大型重機等を用いて比較的大きなサイズのものを取り扱い可能である場合、１個のパネル体のサイズを大きくしてもよい。
【００４９】
（仮止め手段について）
また、上記実施の形態の図６の鋼材３に対して天井部材１のパネル体を仮止め可能としてもよい。具体的には、鋼材３の上面の一部に粘着テープ等を張り付けて、当該粘着テープにてパネル体を鋼材３に仮止め可能にしてもよい。
【００５０】
（付記）
付記１の天井構造は、建築物の天井構造であって、防音性の天井部材と、前記天井部材を支持する支持部材と、を備え、前記天井部材は、ＡＬＣ（軽量気泡コンクリート）製であり、且つ、前記天井構造側で作業を行うための作業床である。
【００５１】
付記２の天井構造は、付記１に記載の天井構造において、前記支持部材は、前記建築物の一方側から他方側にわたって設けられている第１支持部材と、前記第１支持部材に固定されており、且つ、前記第１支持部材と直交する方向にわたって設けられている第２支持部材と、を備え、前記天井部材は、前記第２支持部材に載置されている。
【００５２】
付記３の天井構造は、付記２に記載の天井構造において、前記第２支持部材は、前記第１支持部材の下側に固定されており、前記天井部材は、前記第１支持部材と隣接しており、前記天井構造は、前記天井部材と前記第１支持部材との相互間の間隙を埋める詰材、を備える。
【００５３】
付記４の天井構造は、付記３に記載の天井構造において、前記詰材は、防音性又は止水性を有する。
【００５４】
（付記の効果）
付記１に記載の天井構造によれば、天井部材は、ＡＬＣ（軽量気泡コンクリート）製であり、且つ、天井構造側で作業を行うための作業床であることにより、例えば、天井部材がＡＬＣ製となっており防音性を有しているので、吸音材、空気層、及び遮音材等を別途設ける作業を省略して作業工程を減らすることができ、天井構造を施工する作業性を向上させることが可能となる。また、例えば、天井部材が作業床として機能するので、天井側で作業を行うために足場を別途架設することが不要となり、作業性を向上させることが可能となる。また、例えば、作業工程を減らすことができるので、作業コストを減らすことが可能となる。また、例えば、作業者が、別途架設する足場ではなく作業床として機能する安定した天井部材に載って作業を行うことができるので、安全性を向上させることが可能となる。また、例えば、天井側での作業中に作業者が工具等を落とした場合であっても、作業床として機能する天井部材で受け止められるので、当該天井部材よりも下側に落下物が落下する危険性を除去することができ、安全性を向上させることが可能となる。
【００５５】
付記２に記載の天井構造によれば、天井部材が第２支持部材に載置されていることにより、例えば、天井部材が落下することを確実に防止することができるので、安全性を向上させることが可能となる。また、例えば、天井部材を第２支持部材の上側から敷き詰めることにより、天井構造を施工することができるので、作業者が天井部材を下側から支える必要がなくなり、作業性を向上させることが可能となる。
【００５６】
付記３に記載の天井構造によれば、天井部材と第１支持部材との相互間の間隙を埋める詰材を備えることにより、例えば、天井部材がずれることを防止することが可能となる。
【００５７】
付記４に記載の天井構造によれば、詰材が防音性又は止水性を有することにより、例えば、天井構造の防音性又は防水性を向上させることが可能となる。
【符号の説明】
【００５８】
１  天井部材
２  上弦部材
３  鋼材
４  詰材
１１  第１領域
１２  第２領域
１３  第３領域
２１  フランジ部
３１  固定部
１００  天井構造
２１１  間隙
８００  屋根材
９００  建築物
【図１】
2020084527.tif 000003
【図２】
2020084527.tif 000004
【図３】
2020084527.tif 000005
【図４】
2020084527.tif 000006
【図５】
2020084527.tif 000007
【図６】
2020084527.tif 000008